(57)【要約】【課題】本発明は、比較的小さな居住ユニットの利用できる居住空間を増加させるのに役立つ頭上収納ユニット、住宅用の居住ユニット及び方法を提供することを目的とする。【解決手段】頭上収納ユニットが開示される。収納ユニットは、頭上収納領域内に装着可能な第１の水平セグメントと、頭上収納領域の下方に装着可能な第２の垂直セグメントと、第１及び第２のセグメントの間を延びる湾曲セグメントとを有する細長いガイド部材を有する。収納ユニットはまた、収納位置とアクセス可能位置との間で引き上げられ降下されるようにガイド部材に装着されて該ガイド部材に沿って変位可能な少なくとも１つの壁を備えた収納容器を有する。第１の壁は、収納領域内に配置され、収納位置において収納容器の底面を定めるように第１の配向を有する。第１の壁は、収納領域の下方に配置され、アクセス可能位置の第１の配向とは異なる第２の配向を有する。住宅用の居住ユニット及び方法も開示される。【選択図】図１Ｂ
2020506784.tif 000002
【特許請求の範囲】
【請求項１】
頭上収納ユニットであって、
頭上収納領域内に装着可能な第１の水平セグメントと、前記頭上収納領域の下方に装着可能な第２の垂直セグメントと、前記第１及び第２のセグメントの間を延びる湾曲セグメントとを有する細長いガイド部材と、
少なくとも第１の壁を有し、収納位置とアクセス可能位置との間で引き上げられ降下されるように前記ガイド部材に装着可能且つ前記ガイド部材に沿って変位可能な収納容器と、
を備え、
前記第１の壁は、少なくとも部分的に前記頭上収納領域内に配置され、前記収納位置において前記収納容器の底面を定めるように第１の配向を有し、及び前記第１の壁は、前記頭上収納領域の下方に配置され、前記アクセス可能位置において前記第１の配向とは異なる第２の配向を有する、収納ユニット。
【請求項２】
前記第１の壁の前記第２の配向は、約９０°だけ前記第１の配向からオフセットされる、ことを特徴とする請求項１に記載の収納ユニット。
【請求項３】
前記第１の壁は、前記収納位置において前記頭上収納領域内で水平に置かれ、前記アクセス可能位置において前記頭上収納領域の下方に直立して配置される、ことを特徴とする請求項１又は２に記載の収納ユニット。
【請求項４】
前記収納容器は、前記ガイド部材に沿って変位可能な複数の回転可能なガイド本体を含み、前記ガイド本体のうちの先導ガイド本体は、前記収納容器が収納位置にある時、前記ガイド部材の前記湾曲セグメントに隣接して配置される、ことを特徴とする請求項１〜３の何れか１項に記載の収納ユニット。
【請求項５】
前記ガイド本体のうちの先導ガイド本体は、前記収納容器が前記収納位置にあって前記収納容器を下向きに付勢する時、前記湾曲セグメントの下向き湾曲部分上に配置される、ことを特徴とする請求項４に記載の収納ユニット。
【請求項６】
少なくとも１つの変位部材と駆動係合するモータを有するモータ組立体を更に含み、前記変位部材は、前記収納位置とアクセス可能位置の間で前記収納容器を変位させるように前記収納容器に取り付けられる、ことを特徴とする請求項１〜５の何れか１項に記載の収納ユニット。
【請求項７】
前記モータは管状モータを含み、前記変位部材は、前記管状モータの外面の周りに巻くことができるモータケーブルを含む、ことを特徴とする請求項６に記載の収納ユニット。
【請求項８】
前記モータ組立体は、前記モータと通信状態で該モータの作動を制御するリモコンを含む、ことを特徴とする請求項６又は７に記載の収納ユニット。
【請求項９】
前記ガイド部材は、横方向に離間して配置された複数のガイドレールを含み、前記収納容器は、各々が前記ガイドレールのうちの１つに沿って変位可能な複数のガイドホイールを含み、前記ガイドホイールのうちの少なくとも１つは、前記収納容器が前記収納位置にあって前記収納容器を下向きに付勢する時、対応するガイドレールの前記湾曲セグメントの下向き湾曲部分上に配置される、ことを特徴とする請求項１〜８の何れか１項に記載の収納ユニット。
【請求項１０】
前記第１の壁は、少なくとも第２の壁と相互接続しこの第２の壁に対して垂直であり、前記収納容器が前記収納位置にある時、前記頭上収納領域内に前記第２の壁は直立して配向されて前記第１の壁は水平に配向され、前記収納容器が前記アクセス可能位置にある時、前記頭上収納領域の下方に前記第２の壁は水平に配向されて前記第１の壁は直立して配向される、ことを特徴とする請求項１〜９の何れか１項に記載の収納ユニット。
【請求項１１】
前記収納容器の前記壁は、互いに接続されて前記収納容器の気密密封内部を定める、ことを特徴とする請求項１〜１０の何れか１項に記載の収納ユニット。
【請求項１２】
住宅用の居住ユニットであって、
頭上収納領域と、頭上収納ユニットと、を備え、
前記頭上収納ユニットは、
前記収納領域内に装着された第１の水平セグメントと、前記収納領域の下に装着された第２の垂直セグメントと、前記第１及び第２のセグメントの間を延びる湾曲セグメントと、を有する細長いガイド部材と、
少なくとも第１の壁を有し、収納位置とアクセス可能位置との間で引き上げられ降下されるように前記ガイド部材に装着されて該ガイド部材に沿って変位可能な収納容器と、
を含み、
前記第１の壁は、前記収納領域内に配置され、前記収納位置において前記収納容器の底面を定めるように第１の配向を有し、前記第１の壁は、前記収納領域の下方に配置され、前記アクセス可能位置において前記第１の配向とは異なる第２の配向を有する、ことを特徴とする居住ユニット。
【請求項１３】
前記第１の壁の前記第２の配向は、約９０°だけ前記第１の配向からオフセットされる、ことを特徴とする請求項１２に記載の居住ユニット。
【請求項１４】
前記収納容器は、前記ガイド部材に沿って変位可能な複数の回転可能なガイド本体を含み、前記ガイド本体のうちの先導ガイド本体は、前記収納容器が前記収納位置にあって前記収納容器を下向きに付勢する時に、前記湾曲セグメントの下向き湾曲部分上に配置される、ことを特徴とする請求項１２又は１３に記載の居住ユニット。
【請求項１５】
少なくとも１つの変位部材と駆動係合するモータを有するモータ組立体を更に備え、前記変位部材は、前記収納位置とアクセス可能位置との間で前記収納容器を変位させるように前記収納容器に取り付けられる、ことを特徴とする請求項１２〜１４の何れか１項に記載の居住ユニット。
【請求項１６】
前記第１の壁は、少なくとも第２の壁と相互接続してこの第２の壁に対して垂直であり、前記収納容器が前記収納位置にある時、前記収納領域内に前記第２の壁は直立して配向されて前記第１の壁は水平に配向され、前記収納容器が前記アクセス可能位置にある時、前記収納領域の下に前記第２の壁は水平に配向されて前記第１の壁は直立して配向される、ことを特徴とする請求項１２〜１５の何れか１項に記載の居住ユニット。
【請求項１７】
前記収納領域はクローゼットの上方にあり、前記収納領域は前記収納容器が前記収納位置にある時に前記収納容器によって視界から隠されている、ことを特徴とする請求項１２〜１６の何れか１項に記載の居住ユニット。
【請求項１８】
頭上収納領域にアイテムを収納する方法であって、
ある配向を有して、前記頭上収納領域の下方に配置されている収納容器に前記アイテムを積むステップと、
所定の経路に沿って前記収納容器を上向きに変位させ、前記収納容器の上向き変位が前記収納容器を積む時の前記配向とは異なるように前記収納容器の前記配向を変えることによって、前記頭上収納領域内に収納される前記収納容器を引き上げるステップと、
を含む、方法。
【請求項１９】
前記収納容器が前記頭上収納領域にある時に、前記収納容器を下向きに付勢するステップを更に含む、請求項１８に記載の方法。
【請求項２０】
前記収納容器を引き上げるステップは、原動力によって前記収納容器を引き上げるステップを含む、請求項１８又は１９に記載の方法。
【発明の詳細な説明】
【技術分野】
【０００１】
本出願は、一般にアイテムの収納に関し、より詳細には頭上収納ユニットに関する。
【背景技術】
【０００２】
多くの行政区域において、インテリアの不動産は、利用可能名床面積単位ごとに価格設定されている（例えば、＄／ｆｔ2）。この価格設定モデルは、居住者が最小の床面積内で快適に提供できる特徴要素の数を最大にすることを促し、特徴要素の削減と快適さの向上をもたらす。
【発明の概要】
【発明が解決しようとする課題】
【０００３】
都市部の住宅区域では、単位床面積の費用が比較的高いので、より小さな居住ユニットの建設が奨励されている。これらより小さな居住ユニットの開発者は、居住者の生活様式に適応するために、より大きな居住面積に関連する特徴要素及びアクセサリをこれらの居住者に提供したいと依然として考えている。しかしながら、これらのより小さな居住ユニットにおいてより少ない空間が利用できないので、このような特徴要素及びアクセサリを提供することは困難である。
【課題を解決するための手段】
【０００４】
１つの態様において、頭上収納領域内に装着可能な第１の水平セグメント、頭上収納領域の下方に装着可能な第２の垂直セグメント、及び第１及び第２のセグメントの間を延びる湾曲セグメントを有する細長いガイド部材と、少なくとも第１の壁を有し、収納位置とアクセス可能位置との間で引き上げられ降下されるようにガイド部材に装着可能且つ前記ガイド部材に沿って変位可能な収納容器と、を備え、第１の壁は、少なくとも部分的に頭上収納領域内に配置され、収納位置において収納容器の底面を定めるように第１の配向を有し、頭上収納領域の下方に配置され、アクセス可能位置の第１の配向とは異なる第２の配向を有する、頭上収納ユニットが提供される。
【０００５】
別の態様において、収納領域内に装着された第１の水平セグメント、収納領域の下に装着された第２の垂直セグメント、及び第１及び第２のセグメントの間を延びる湾曲セグメントを有する細長いガイド部材と、収納位置とアクセス可能位置との間で引き上げられ降下されるようにガイド部材に装着されて該ガイド部材に沿って変位可能な収納容器と含み、第１の壁は、収納領域内に配置され、収納位置において収納容器の底面を定めるように第１の配向を有し、収納領域の下方に配置され、アクセス可能位置の第１の配向とは異なる第２の配向を有する、頭上収納領域及び頭上収納ユニットを含む住宅用の居住ユニットが提供される。
【０００６】
更なる態様において、頭上収納領域にアイテムを収納する方法が提供され、本方法は、ある配向を有して頭上収納領域のすぐ下に配置されている収納容器にアイテムを積むステップと、所定の経路に沿って収納容器を上向きに変位させ、収納容器の上向き変位が収納容器を積むときの配向とは異なるように収納容器の配向を変えることによって、頭上収納領域内に収納するように収納容器を引き上げるステップと、を含む。
【０００７】
以下の添付図面を参照する。
【図面の簡単な説明】
【０００８】
【図１Ａ】本開示の１つの実施形態による、頭上収納ユニットを有する住宅用の居住ユニットの斜視図である。
【図１Ｂ】図１Ａの頭上収納ユニットの別の斜視図である。
【図２Ａ】収納位置で示されている図１Ａの頭上収納ユニットの斜視図である。
【図２Ｂ】アクセス可能位置で示されている図１Ａの頭上収納ユニットの斜視図である。
【図３Ａ】図１Ａの頭上収納ユニットのガイド部材の斜視図である。
【図３Ｂ】図３Ａのガイド部材の別の斜視図である。
【図４】頭上収納ユニットのモータ組立体の斜視図である。
【発明を実施するための形態】
【０００９】
図１Ａ及び１Ｂは、住宅用の居住ユニット１２に設けられた頭上収納ユニット１０を示す。図示の実施形態において、居住ユニット１２は住宅用アパートであるが、居住ユニット１２が他のタイプの居住施設であってもよいことは理解されるであろう。居住ユニット１２の一部の非限定的な実施例は、共同住宅、分譲マンション、一戸建て、居室、その他を含む。頭上収納ユニット１０（本明細書では簡単に「収納ユニット１０」と呼ばれることがある）の特徴要素は、収納ユニット１０内に収納される１又は２以上のアイテム１４が、未使用時に収納することができるようにし、またアイテム１４へのアクセスを提供できるように変位可能である。収納時には、収納ユニット１０の特徴要素は、居住ユニット１２の床面積を占有しないように位置決めされる。これは、貴重な床面積を解放して他の目的のために用いることを可能にし、これにより、居住ユニット１２の利用可能な全床面積に貢献する。本明細書でより詳細に説明されるように、収納ユニット１０は、頭上収納領域１６にアイテム１４を位置決めする。
【００１０】
頭上収納領域１６は、居住ユニット１２の床の上方に配置される。より詳細には、頭上収納領域１６は、居住ユニット１２の居住者の平均レベルの頭部付近に位置付けられる。頭上収納ユニットのこの位置１６は、居住者が収納ユニット１０によって妨げられることなく居住ユニット１２の周りを自由に移動できるようにする。頭上収納領域１６の構成は、様々な形態を取ることができる。例えば、図示の実施形態において、頭上収納領域１６は、居住ユニット１２のクローゼット１８の上方に配置される。頭上収納領域１６は、クローゼット１８の上部に位置決めされた頭上構造体１９の相互接続壁によって定められる。代替の実施形態において、頭上収納領域１６は、吊天井内及び居住ユニット１２の上方に定められたプレナム領域において天井に隣接して配置される。別の代替の実施形態において、頭上収納領域１６は、居住ユニット１２の天井の残りの部分に続いている天井の下側部分によって定められる。従って、頭上収納領域１６内への収納時に居住ユニット１２の周りの居住者の移動を収納ユニット１０が妨害しないように、頭上収納領域１６が居住ユニット１２の床の上方に引き上げられる条件下では、頭上収納領域１６の多くの構成は本開示の範囲内にあることは理解される。収納ユニット１０の特徴要素は、アイテム１４を頭上収納領域１６に持ち上げてアイテム１４を収納しておき、また、アイテム１４を頭上収納領域１６から降ろして、アイテム１４へのアクセスを可能にするように変位可能である。
【００１１】
図２Ａ及び２Ｂを参照すると、収納ユニット１０は、アイテム１４を収納するための変位可能な収納容器２０と、収納位置とアクセス可能位置との間で収納容器２０の変位を案内するための１又は２以上のガイド部材３０とを含む。
【００１２】
収納容器２０は、アイテム１４を保持及び変位させるための何らかの好適な形状にされ大きさにされた物体とすることができる。図示の実施形態において、収納容器２０は、アイテム１４が収納される少なくとも部分的に中空の内部２４を有する箱形収納構造体２２を含む。収納構造体２２は、少なくとも第１の壁２６Ａ及び第２の壁２６Ｂを有する１又は２以上の相互接続壁２６を含む。壁２６は、平面体として図示されているが、他の実施形態においては非平面であってもよい。同様に、第１及び第２の壁２６Ａ、２６Ｂは、これらの長さに沿って実質的に途切れていないように図示されているが、代替の実施形態において、第１及び第２の壁２６Ａ、２６Ｂのうちの一方又は両方は、これらの長さに沿って途切れていることもできる。
【００１３】
第１の壁２６Ａ及び第２の壁２６Ｂは、これらの共通縁部に沿って相互接続されて互いに対して垂直である。第１の壁２６Ａは、図２Ａに示すように、収納容器２０が収納位置にあるときの収納構造体２２の最下壁２６である。第１の壁２６Ａは、収納容器２０の底面２６Ｃ（図３Ａ及び３Ｂを参照）を定めるように第１の配向を有する。図示の実施形態において、底面２６Ｃは、収納位置にあるときに収納容器２０の最下面である。第２の壁２６Ｂは、図２Ｂに示すように、収納容器２０がアクセス可能位置にあるときに収納構造体２２の最下壁２６である。第２の壁２６Ｂは、収納構造体２２内に収納されたアイテム１４の重量の支持に寄与することができる。第１の壁２６Ａはまた、収納位置にあるときに収納構造体２２内に収納されたアイテム１４の重量の支持に寄与することができる。収納構造体２２は、そこにアイテム１４を固定し、収納容器２０の移動中に変位を阻止するためのフック、ブラケット、タイ、マウント、又は他のデバイスを含むことができる。１つの実施形態において、収納構造体２２は、内部２４及びその中のアイテム１４へのアクセスを可能にするドアを有する。代替の実施形態において、収納構造体２２は、その前方部分に沿って開放し、内部２４への直接アクセスを可能にする。
【００１４】
図示の実施形態において、収納構造体２２内に収納されたアイテム１４は自転車である。このようなアイテム１４を収納するために、収納容器２０又は収納構造体２２は、気密密封内部２４を定める相互接続壁２６を含むことができる。密封内部２４は、それの変位中に液体及びデブリが収納容器２０を出るのを阻止する。同様に、収納容器２０は、あらゆる好適な材料から作られて、他の所望の特性の中で不浸透性を与えることができる。収納容器２０は、他のタイプのアイテム１４も収納するのに用いることができる。
【００１５】
収納容器２０は、１又は２以上のガイド部材３０に装着される。各ガイド部材３０は、ある長さに沿って延びてその長さに沿った収納容器２０の変位を案内する。より詳細には、各ガイド部材３０は、頭上収納領域１６内に装着された第１の水平セグメント３２を有する。図示の実施形態において、第１のセグメント３２は、頭上収納領域１６の下端においてクローゼット１８の上側先端に装着される。各ガイド部材３０はまた、頭上収納領域１６の下に装着された第２の垂直セグメント３４を有する。図示の実施形態において、第２のセグメント３４は、クローゼット１８の下側先端に装着される。第２のセグメント３４は、頭上収納領域１６から床のレベルの周りまで下向きに延びる。各ガイド部材３０はまた、第１及び第２のセグメント３２、３４の間を延びる湾曲セグメント３６を有する。図示の実施形態において、湾曲セグメント３６は、下向きに湾曲して、上昇収納位置から下降アクセス可能位置に収納容器２０の変位を案内する。各セグメント３２、３４、３６は、変位されるとき収納容器２０が案内される所定の変位経路の一部分を定める。代替の実施形態において、セグメント３２、３４、３６は、構造体に直接装着されず、自立している。
【００１６】
各ガイド部材３０は、上述の機能性を達成するあらゆる好適な形態を取ることができることは理解されるであろう。例えば、図示の実施形態において、各ガイド部材３０はガイドレール３８を含む。図２Ａ及び２Ｂは、クローゼット１８の対向する側面に装着された２つの横方向に離間して配置されたガイドレール３８を示す。収納容器２０は、回転可能なガイド本体２８を有し、図示の実施形態では、貯蔵容器２０の下側に装着されたガイドホイール２８Ａである。各ガイドホイール２８Ａは、ガイドレール３８に沿って変位されるようにガイドレール３８のうちの対応する１つと係合する。ガイドレール３８とガイドホイール２８Ａの協働により、収納容器２０を変位させることが可能になる。
【００１７】
ガイド部材３０のための他の構成は、本開示の範囲内にある。代替の実施形態において、各ガイド部材３０は細長いラックを含み、収納容器２０は、ピニオンなどの歯車を含む回転可能なガイド本体を有する。各ガイド本体ピニオンは、それに沿って変位されるようにラックのうちの対応する１つと係合する。別の代替の実施形態において、各ガイド部材３０は、例えば、クローゼット１８の表面に溝を含み、収納容器２０は、ホイールを含む回転可能なガイド本体を有する。各ガイド本体車輪は、それに沿って変位されるように溝のうちの対応する１つと係合する。
【００１８】
ガイド部材３０に沿った収納容器２０の変位は、収納容器２０の配向を変える。収納容器２０は、収納位置に上昇され、またアクセス可能位置に降下するように変位可能である。
【００１９】
収納位置では、図２Ａに示すように、収納容器２０及びアイテム１４は収納されている。収納容器２０及び／又は第１の壁２６Ａは第１の配向を有する。図示の実施形態において、第１の壁２６Ａ及び収納容器２０は、収納位置において頭上収納領域１６内で水平に置かれている。従って、収納容器２０及びアイテム１４は、居住ユニット１２の床の上方に引き上げられて収納され、これにより、居住ユニット１２の床面積を解放する。図示の実施形態において、収納容器２０はその「後部」にあり、その結果、収納構造体２２の第１の壁２６Ａは水平配向を有し、第２の壁２６Ｂは直立配向を有するようになる。収納構造体２２は、ガイド部材３０の第１の水平セグメント３２の上に載ってこれにより支持されて示されている。図示の実施形態において、頭上収納領域１６は、収納位置にあるとき収納容器２０によって視界から隠れている。代替の実施形態において、収納容器２０の一部は、収納容器が収納位置にあるときに、頭上収納領域１６から外へ突出する。このような実施形態において、収納容器２０は、頭上収納領域１６内に少なくとも部分的に配置される。
【００２０】
アクセス可能位置では、図２Ｂに示すように、収納容器２０及びアイテム１４は、居住者がアクセス可能である。収納容器２０及び／又は第１の壁２６Ｂは、図２Ａに示す第１の配向とは異なる第２の配向を有する。図示の実施形態において、第２の配向は、約９０°だけ第１の配向からオフセットされる。第１の壁２６Ａ及び収納容器２０は、居住者が収納容器２０においてアイテム１４にアクセスすることができるように、頭上収納領域１６の下方に直立して配置される。従って、収納容器２０及びアイテム１４は、居住ユニット１２の床に近接して懸架される。図示の実施形態において、収納構造体２２の第１の壁２６Ａは直立配向を有し、第２の壁２６Ｂは水平配向を有する。収納構造体２２は、ガイド部材３０の垂直セグメント３４と係合される。
【００２１】
従って、収納容器２０が収納位置とアクセス可能位置との間で変位したときに、収納構造体２２の第１の壁２６Ａ及び実際には他の壁２６が配向の変化の状態にあることは理解される。収納容器２０の配向のこの変化は、収納位置とアクセス可能位置の間で変位したときの収納構造体２２の寸法を考慮することによってより良く認識することができる。収納構造体２２は、高さＨ、長さＬ、及び幅Ｗを有する。収納位置では、収納構造体２２の幅Ｗは垂直平面で測定され、高さＨは水平面で測定される。アクセス可能位置では、収納構造体２２の幅Ｗは水平面で測定され、高さＨは垂直平面で測定される。
【００２２】
収納位置とアクセス可能位置の間の収納容器２０の配向のこの変化は、アイテム１４のための内部２４収納空間を損なうことなく、収納容器２０が頭上収納領域１６の最小容積を占有することを可能にする。より詳細には、収納位置の収納容器２０は、実質的に平坦又は水平プロファイルを有し、そのため、直立配向を有するときよりも小さい垂直空間を占有するようになる。これはより小さな頭上収納領域１６を用いることを可能にし、低い天井を有する居住ユニット１２において特に望ましいとすることができる。同様に、アクセス可能位置における収納容器２０の直立配向は、居住者が収納容器２０からアイテム１４を積載及び積載解除するのに快適な下降位置において、居住者によって内部２４へのフルアクセスを可能にする。
【００２３】
図３Ａ及び３Ｂを参照すると、各ガイド部材３０の湾曲セグメント３６は、少なくとも第１の壁２６Ａの配向を変えるのに役立つ。湾曲セグメント３６は、水平の第１のセグメント３２と垂直の第２のセグメント３４との間を延びる。第１の壁２６Ａが第１の配向を有する収納位置から、第１の壁２６Ａ及び収納容器２０は、最初に、水平面において第１のセグメント３２に沿って変位され、次いで湾曲セグメント３６の上に下向きに変位される。湾曲セグメント３６は、湾曲セグメント３６を過ぎて垂直の第２のセグメント３４に沿って変位された後に第１の壁２６Ａが直立しているように変位されるときに、第１の壁２６Ａの配向を第２の配向に変える。従って、第１の壁２６Ａの第２の配向は、約９０°だけ第１の配向からオフセットされる。
【００２４】
図示の実施形態において、収納容器２０の回転可能なガイド本体２８は、対応するガイド部材３０に沿って変位可能な先導ガイド本体２８Ｂを含む。先導ガイドホイールとして図示の実施形態に示す先導ガイド本体２８Ｂは、１対の先導ガイド本体２８Ｂを形成するように、２つの横方向に離間して配置されたガイド部材３０と係合する。先導ガイド本体２８Ｂは、収納容器２０が収納位置にあるとき、各ガイド部材３０の湾曲セグメント３６の上端に隣接して配置される。収納容器２０を収納位置から降下するのに必要な労力は、湾曲セグメント３６の上端に近接して先導ガイド本体２８Ｂを位置決めすることによって軽減される。実際に、湾曲セグメント３６の上端への先導ガイド本体２８Ｂの近接近は、収納容器２０が、先導ガイド本体２８Ｂが湾曲セグメント３６に入る前に第１のセグメント３２に沿って単に比較的短い距離を移動する必要があることを意味し、その時点で、収納容器２０に働く重力は、収納容器２０を収納位置から降下するのを補助することになる。この労力の軽減は、以下でより詳細に検討するように、収納容器２０が手動で変位される場合に特に有用である。
【００２５】
先導ガイド本体２８Ｂの下向き湾曲セグメント３６の上端への接近は、他の要因の中で収納容器２０を降下するのに必要な所望の労力に応じて変化する可能性がある。例えば、図示の実施形態において、先導ガイド本体２８Ｂは、収納容器２０が収納位置にあるとき、湾曲セグメント３６の下向き湾曲部分３６Ａ内に初期設定位置を有する。先導ガイド本体２８Ｂのこの位置決めは、収納容器２０を下向きに付勢するのに役立ち、従って、収納容器２０を降下するのに必要な労力を軽減するのに役立つ。このような構成では、引張力が収納容器２０に付加され、収納容器２０を後部に保持して、偶発的に降下する可能性を低減することができる。この引張力は、ケーブル、ばね、又は他の機械デバイスによって提供することができる。
【００２６】
代替の実施形態において、先導ガイド本体２８Ｂは、収納容器２０が収納位置にあるとき、湾曲セグメント３６の下向き湾曲部分３６Ａの開始点に配置される。先導ガイド本体２８Ｂのこの位置決めはまた、収納容器２０を下向きに付勢するのに役立ち、従って、収納容器２０を降下するのに必要な労力を軽減するのに役立つ。別の代替の実施形態において、先導ガイド本体２８Ｂは、第１のセグメント３２及び湾曲セグメント３６の接合直前に、第１のセグメント３２上に配置される。先導ガイド本体２８Ｂのこの位置決めは、収納容器の下降を依然として容易にするが、先導ガイド本体２８Ｂが下向き湾曲部分３６Ａ内にある構成におけるよりも多くの労力を必要とする場合がある。湾曲セグメント３６は２つの下向き湾曲部分３６Ａを有することが図３Ａ及び３Ｂに示されているが、代替の実施形態において、湾曲セグメント３６は、先導ガイド本体２８Ｂが変位されるただ１つの下向き湾曲部分３６Ａを有する。
【００２７】
ガイド部材３０に沿った収納容器２０の変位は、居住者によって手動で又は原動力の支援により行うことができる。図４の実施形態において、収納ユニット１１０は原動力源を含む。より詳細には、収納ユニット１１０はモータ組立体１４０を有する。モータ組立体１４０は、動力を収納容器２０に提供して、収納位置とアクセス可能位置の間で変位させる。図示の実施形態において、利用可能な空間を最適にするために、モータ組立体１４０は、クローゼット１８の後方に装着される。代替の実施形態において、アクセスを改善するために、モータ組立体１４０は、頭上収納領域１６においてクローゼットの上に装着される。モータ組立体１４０はモータ１４２を含む。好適なブラケット又は装着具を設けて、モータ１４２を適所に固定することができる。モータ１４２は、１又は２以上の変位部材１４４と駆動係合する。変位可能部材１４４は、収納容器２０に装着されて、収納位置とアクセス可能位置の間で収納容器２０を変位させる。モータ１４２は、スイッチを用いて又はモータ１４２と通信状態にあるリモコンを用いてある距離を離れて手動で制御して、モータの作動を制御することができる。
【００２８】
図４の実施形態において、モータ１４２は管状モータ１４６を含み、変位可能部材１４４はモータケーブル１４４Ａを含む。管状モータ１４６は、モータハウジング１４６Ｂ又は外面１４６Ｃを有するスリーブを回転可能に駆動する原動出力１４６Ａを有する。モータハウジング１４６Ｂの外面１４６Ｃは、管状モータ１４６の長手方向軸の周りで回転可能である。モータケーブル１４４Ａは、外面１４６Ｃの周りに巻かれ、その結果、モータハウジング１４６Ｂの回転がモータケーブル１４４Ａを外面１４６Ｃの周りでスプール及びスプール解除するようになる。各モータケーブル１４４Ａの端部は、モータケーブル１４４のスプーリング及びスプール解除が収納容器２０を変位させるように、収納容器２０に取り付けられる。
【００２９】
モータ組立体１４０を有する収納容器２０の変位は、以下のように起こる。第１の配向を有する収納位置から収納容器２０を降下させるために、管状モータ１４６は、モータケーブル１４４を巻き解くように回転させることによって、モータケーブル１４４Ａのスプール解除の制御を行う。これは、モータケーブル１４４Ａに弛みを与え、重力に基づいて収納容器２０が降下するのを可能にする。収納容器２０をアクセス可能位置から引き上げるために、管状モータ１４６は、外面１４６Ｃの周りでモータケーブル１４４Ａをスプールするように回転させることによって、モータケーブル１４４Ａに引き込む。これは、モータケーブル１４４Ａから弛みを取り除いて引張力を付加し、ガイド部材３０に沿って収納容器２０を引き上げるようにする。
【００３０】
他の技術は、収納容器２０を変位させるための本開示の範囲内にある。代替の実施形態において、原動力は、限定ではないが、手動機構を有するクランク及び／又はばねばかりを含む、他の何れかの好適なタイプの駆動装置によって供給される。１つの実施形態において、収納ユニット１０、１１０は、収納容器２０の変位を監視して収納容器２０が極端に降下されるのを阻止するセンサを含む。同様に、収納ユニット１０、１１０は、収納容器２０の下向き変位を制限する停止部材を含むことができる。
【００３１】
図２Ａ及び２Ｂを参照すると、頭上収納領域１６においてアイテム１４を収納する方法も開示される。アイテム１４は、第１の配向を有し、頭上収納領域のすぐ下に配置された収納容器２０に積まれる。収納容器２０は、頭上収納領域１６内に部分的に又は完全に収納するように引き上げられる。収納容器２０は、ガイド部材３０によって提供されるものなど所定の経路に沿って動力の支援などで、収納容器２０を下向きに変位させることによって引き上げられる。収納容器２０の上向き変位は、収納容器２０を積むときの配向とは異なるようにその配向を変える。
【００３２】
前述に照らして、本明細書で開示する収納ユニット１０、１１０は、降下及び引き上げをすることができる頭上位置において収納可能であり、収納ユニットの移動が収納位置とアクセス可能位置の間で収納容器２０の配向を転換する収納容器２０を有することは理解できる。比較的小さな居住ユニット１２で用いる際には、収納ユニット１０、１１０は、収納する必要があるアイテム１４が占有する空間を最小にするのに役立つ。アクセス可能位置では、収納容器２０は、好都合な高さまで降下して、積載及び積載解除を容易にすることができ、これにより、踏み台の必要性及び不都合さを解消する。アイテム１４の収納及び容易な回収を容易にすることによって、収納ユニット１０、１１０は、比較的小さな居住ユニット１２の利用できる居住空間を増加させるのに役立つ。
【００３３】
上記説明は、例示に過ぎず、当業者は、開示する本発明の範囲から逸脱することなく記載された実施形態に対して変更を行うことができることは理解するであろう。例えば、本明細書で用いる記述用語「水平の」、「垂直の」、及び「直立の」は、完全に水平又は水平面に完全に垂直になる特徴要素に限定しない。これらの特徴要素は、これらが実質的に水平又は垂直に保持される場合、水平面から及び垂直線から偏位することができる。同様に、収納ユニット１０、１１０は、住宅用の居住ユニット１２の一部であると本明細書では説明されているが、収納ユニット１０、１１０は、商業用及び産業用ユニットなどの他のタイプの建物ユニットに用いることができることは理解されるであろう。本発明の範囲に含まれる更に他の修正は、本開示の再検討に照らして当業者には明らかであり、このような修正は、添付の特許請求の範囲に含まれることが意図される。
【符号の説明】
【００３４】
１４  アイテム
１６  頭上収納領域
１８  クローゼット
１９  頭上構造
２０  収納容器
【図１Ａ】
2020506784.tif 000003
【図１Ｂ】
2020506784.tif 000004
【図２Ａ】
2020506784.tif 000005
【図２Ｂ】
2020506784.tif 000006
【図３Ａ】
2020506784.tif 000007
【図３Ｂ】
2020506784.tif 000008
【図４】
2020506784.tif 000009
【国際調査報告】
2020506784.tif 000010
2020506784.tif 000011